(57)【特許請求の範囲】
【請求項１】
放射性物質で汚染されている領域におけるホットスポットを見つけるために、地表面より離れた位置から放射能を検出する放射能検出装置であって、
マルチコリメータ、および
複数のガンマ線検出器を備え、
前記マルチコリメータは、
その測定面となる表面側から見た平面形状が四辺形であり、その断面形状が円弧状の板状で厚肉の球殻状に選ばれた遮蔽体を含み、
前記球殻状の遮蔽体の表面側が第１の方向と第２の方向に沿って二重の凸状の湾曲面に形成され、かつその裏面側が中心点を表面側と同一とする二重の凹状の湾曲面に形成され、
放射線の入射方向を制限するために、球殻状部分に複数の筒状の透孔を第１の方向と第２の方向のマトリクス状に分散配置しかつ中心点から放射状に形成することによって複数のコリメータを配置して構成され、
前記複数のガンマ線検出器は、
前記マルチコリメータの球殻状部分の裏面側と中心点との間であって、当該マルチコリメータに含まれる前記複数のコリメータの夫々に対応して放射状に配置され、
対応する前記コリメータによって制限された特定の視野別の放射線のエネルギーと強度を同時に検出することを特徴とする、放射能検出装置。
【請求項２】
前記複数のガンマ線検出器は、前記マルチコリメータが測定対象面に向けられた反対側の面における平面上に配置される、請求項１に記載の放射能検出装置。
【請求項３】
前記複数のガンマ線検出器は、前記マルチコリメータが測定対象に向けられた反対側の面であり、かつマルチコリメータの裏面側の湾曲面とは異なる球殻面上であって、各コリメータの放射方向と前記各湾曲面の中心点との線上に配置される、請求項１に記載の放射能検出装置。
【請求項４】
放射性物質で汚染されている領域におけるホットスポットを見つけるために、地表面より離れた位置から放射能を検出する放射能検出装置であって、
マルチコリメータ、および
複数のガンマ線検出器を備え、
前記マルチコリメータは、
その測定面となる表面側から見た平面形状が四辺形であり、その側面形状が円弧状の板状で厚肉の球殻状に選ばれた遮蔽体を含み、
前記球殻状の遮蔽体の表面側が第１の方向と第２の方向に沿って二重の凸状の湾曲面に形成され、かつその裏面側が中心点を表面側と同一とする二重の凹状の湾曲面に形成され、
放射線の入射方向を制限するために、球殻状部分に複数の筒状の透孔を第１の方向と第２の方向のマトリクス状に分散配置し、かつ中心点から放射状に形成することによって複数のコリメータを配置して構成され、
前記複数のガンマ線検出器は、
前記マルチコリメータが測定対象に向けられた反対側の面であって、当該マルチコリメータに含まれる前記複数のコリメータの夫々に対応して、マルチコリメータの裏面側の湾曲面とは異なる球殻面上であって、各コリメータの放射方向と当該湾曲面の中心点との線上に放射状に配置され、
対応するコリメータによって制限された特定の視野別の放射線のエネルギーと強度を同時に検出することを特徴とする、放射能検出装置。
【請求項５】
請求項１ないし請求項４のいずれかに記載の放射能検出装置を用いて放射能分布を測定する放射能測定装置であって、
処理手段をさらに備え、
前記処理手段は、前記各ガンマ線検出器の夫々の取得信号を基にして、平滑化処理した後、補間処理することにより、１個のガンマ線検出器の検出視野よりも微細な仮想検出器メッシュに細分化することにより、細分化された信号強度分布を算出し、
それによって、放射能検出領域の空間分解能を向上させたことを特徴とする、放射能測定装置。
【請求項６】
前記処理手段は、細分化された信号強度分布を基にして、装置関数でデコンボリューションすることにより、ホットスポットの位置を特定することを特徴とする、請求項５に記載の放射能測定装置。
【請求項７】
請求項１ないし請求項４のいずれかに記載の放射能検出装置を用いて放射能分布を測定する、放射能測定装置であって、
前記放射能検出装置の向けられた放射能検出領域を写真撮影する撮影手段と、撮影手段によって撮影された写真を表示する表示手段と、処理手段とをさらに備え、
前記処理手段は、
前記各ガンマ線検出器の夫々の取得信号を基にして、平滑化処理した後、補間処理し、
１個のガンマ線検出器の検出視野よりも微細な仮想検出器メッシュに細分化して、細分化された信号強度分布を算出することによって、前記各コリメータと対応する前記各ガンマ線検出器との組合せにより、放射能分布を測定し、さらに
細分化された信号強度分布を基にして、装置関数でデコンボリューションすることにより、ホットスポットの位置を特定し、
前記撮影手段によって撮影された放射能検出領域の写真を前記表示手段に表示させるとともに、前記特定したホットスポットの位置を放射能検出領域の映像に重ね合せて表示させる、放射能測定装置。
【請求項８】
請求項１ないし請求項４のいずれかに記載の放射能検出装置を用いて放射能分布を測定する放射能測定方法であって、
前記各コリメータと対応するガンマ線検出器との組合せにより、放射能分布を測定するステップを含む、放射能測定方法。
【請求項９】
請求項１ないし請求項４のいずれかに記載の放射能検出装置を用いて放射能分布を測定する放射能測定方法であって、
前記各ガンマ線検出器の夫々の取得信号を基にして、平滑化処理するステップと、補間処理するステップと、１個のガンマ線検出器の検出視野よりも微細な仮想検出器メッシュに細分化するステップとを含み、
それによって、放射能検出領域の空間分解能を向上させるようにしたことを特徴とする、放射能測定方法。
【請求項１０】
細分化された信号強度分布を基にして、装置関数でデコンボリューションするステップと、ホットスポットの位置を特定するステップとをさらに含む、請求項９に記載の放射能測定方法。
【発明の詳細な説明】
【技術分野】
【０００１】
この発明は、放射能検出装置，放射能測定装置及び放射能測定方法に関し、特に例えば球殻状の形状をしたマルチコリメータとマルチコリメータに含まれる複数個のコリメータに対応して配置される複数のガンマ（γ）線検出器から成る放射能検出装置、当該放射能検出装置を用いて放射能分布を測定する放射能測定装置および放射能測定方法に関する。
【背景技術】
【０００２】
東日本大震災による原子力発電所の事故を契機として、土壌や廃材や建造物等に放射性物質で汚染されている領域が発生した。これらの領域においては、放射性物質の汚染を除去するために、除染作業が行われている。除染作業を効率的に行うためには、放射性物質で汚染されている領域を高精度で迅速に検出できる機器が求められている。
また、除染作業に際しては、放射性物質で汚染されている領域の放射能を検出し測定して、ホットスポットを探索する必要がある。このための簡便な方法として、放射能を可視化する装置(ガンマカメラ)がある。
【０００３】
ホットスポット等の探索用に用いられる放射能検出又は放射能可視化法には、従来、ピンホールカメラ方式，コンプトン散乱方式及び符号化マスク方式（コーディットマスク方式；符号化開口方式ともいう）が広く知られている。
従来のピンホールカメラ方式の放射能検出器は特許文献１、コンプトン散乱方式の放射能検出器は特許文献２、符号化マスク方式は特許文献３が知られている。
その他の方式として、コリメータを用いた放射能検出器があり、特許文献４が知られている。
【先行技術文献】
【特許文献】
【０００４】
【特許文献１】特表２００８−５２３４０５号
【特許文献２】特開平０９  −１０１３７１号
【特許文献３】特開２０１５−  ８７３８６号
【特許文献４】特開２００４−  ８５２５０号
【発明の概要】
【発明が解決しようとする課題】
【０００５】
特許文献１のようなピンホールカメラ方式は、開口のサイズ制限のため感度が低く、ホットスポットの特定に３０分程度の時間を要し、除染作業の効率が極めて悪い。また、環境放射線の影響に弱いために、検出器全体を鉛等で遮蔽する必要があるので、装置重量が重くなり、取扱いが不便である。
特許文献２のようなコンプトン散乱方式は、入射γ線と、それによる散乱線を別の検出器で同時検出する信号を利用するため、感度が低く、しかも原理上円錐状の重なり点が位置となるために、１散乱だけでは位置を特定することが出来ないという問題点がある。
【０００６】
特許文献３のような符号化マスク方式は、本来、無限遠の天体からの平行光線のＸ線を検出するための手法のため、有限距離であって発散光線を対象とする放射能汚染源であるホットスポットの検出・可視化にはそのまま適用できない。
特に、符号化マスク方式では、単なる開口、すなわち薄い板に開けた孔であるため、放射線を通過させる確率を低くすることが困難であり、本来放射線源のあるべき方向でない方向にも寄与（又は影響）が生じやすい。しかも、符号化マスク方式は、複雑な計算を行う必要があり、測定誤差や統計的変動により、疑似的なピーク（アーティファクト）を生じ易い。
【０００７】
特許文献４のコリメータを用いた方式は、コリメータを通過したガンマ線を可視光に変換する蛍光板を設け、蛍光板がガンマ線の照射を受けて光ると、当該光を導波路（光ファイバー等）を介して搬送するタイプである。そのため、ガンマ線の飛来した位置を特定できるが、ガンマ線のエネルギーを検出することが不可能である。
また、特許文献４の検出部は、ガンマ線だけでなく、アルファ線やベータ線やＸ線でも蛍光板を発光させることに加えて、ガンマ線に限っても別の核種によるガンマ線、例えばカリウム４０とセシウム１３７および１３４のガンマ線の寄与を分離することが不可能である。
従って、放射能汚染起源の放射線源（セシウム１３７および１３４）とその他の放射線源（例えば、自然起源のカリウム４０）の寄与を分けることが不可能であり、除染等の目的でのホットスポットの可視化のためには全く役に立たない。
【０００８】
それゆえに、この発明の主たる目的は、検出効率が高く、例えば１分程度の短時間でホットスポットを特定することのできる、放射能検出装置を提供することである。
【０００９】
この発明の他の目的は、エネルギー分別することによりガンマ線強度のエネルギー分布を取得可能な、放射能検出装置を提供することである。
この発明の他の目的は、装置を軽量化でき、取扱いが容易で、アーティファクトを解消可能な、放射能検出装置を提供することである。
【００１０】
この発明のさらに他の目的は、検出効率が高く、短時間でホットスポットを特定することに有益な、放射能測定装置および放射能測定方法を提供することである。
【課題を解決するための手段】
【００１１】
第１の発明の放射能検出装置は、放射性物質で汚染されている領域におけるホットスポットを見つけるために、地表面より離れた位置から放射能を検出する放射能検出装置であって、マルチコリメータと、複数のガンマ（γ）線検出器とを備える。
マルチコリメータは、
その測定面となる表面側から見た平面形状が四辺形であり、その側面形状が円弧状の板状で厚肉の球殻状に選ばれた遮蔽体を含み、
球殻状の遮蔽体の表面側が第１の方向と第２の方向に沿って二重の凸状の湾曲面に形成され、かつその裏面側が中心点を表面側と同一とする二重の凹状の湾曲面に形成され、
放射線の入射方向を制限するために、球殻状部分に複数の筒状の透孔を第１の方向と第２の方向のマトリクス状に分散配置しかつ中心点から放射状に形成することによって複数のコリメータを配置して構成される。
複数のガンマ線検出器は、
マルチコリメータの球殻状部分の裏面側と中心点との間であって、当該マルチコリメータに含まれる複数のコリメータの夫々に対応して放射状に配置され、
対応するコリメータによって制限された特定の視野別の放射線のエネルギーと強度を同時に検出することを特徴とする。
【００１２】
第１の発明によれば、検出効率が高く、１分程度の短時間でホットスポットを特定することのできる放射能検出装置が得られる。
また、エネルギー分別することにより、ガンマ線強度のエネルギー分布を取得可能な放射能検出装置が得られる。さらに、装置を軽量化でき、取扱いが容易で、アーティファクトを解消できる。
【００１３】
第２の発明の放射能検出装置は、第１の発明において、複数のγ線検出器は、マルチコリメータが測定対象面に向けられた反対側の面における平面上に配置される。
【００１４】
第３の発明の放射能検出装置は、第１の発明において、複数のγ線検出器は、マルチコリメータが測定対象に向けられた反対側の面であり、かつマルチコリメータの裏面側の湾曲面とは異なる球殻面であって、各コリメータの放射方向と各湾曲面の中心点との線上に配置される。
【００１５】
第４の発明の放射能検出装置は、放射性物質で汚染されている領域におけるホットスポットを見つけるために、地表面より離れた位置から放射能を検出する放射能検出装置であって、マルチコリメータと、複数のγ線検出器とを備える。
マルチコリメータは、
その平面形状が四辺形であり、その側面形状が円弧状の板状で厚肉の球殻状に選ばれた遮蔽体を含み、
球殻状の遮蔽体の表面側が第１の方向と第２の方向に沿って二重の凸状の湾曲面に形成され、かつその裏面側が中心点を表面側と同一とする二重の凹状の湾曲面に形成され、
放射線の入射方向を制限するために、球殻状部分に複数の筒状の透孔を第１の方向と第２の方向のマトリクス状に分散配置し、かつ中心点から放射状に形成することによって複数のコリメータを配置して構成される。
複数のγ線検出器は、
マルチコリメータが測定対象に向けられた反対側の面であって、当該マルチコリメータに含まれる複数のコリメータの夫々に対応して、マルチコリメータの裏面側の湾曲面とは異なる球殻面上であって、各コリメータの放射方向と当該湾曲面の中心点との線上に放射状に配置され、
対応するコリメータによって制限された特定の視野別の放射線のエネルギーと強度を同時に検出する。
【００１６】
第５の発明の放射能測定装置は、第１ないし第４の発明の放射能検出装置を用いて放射能分布を測定する放射能測定装置であって、処理手段をさらに備える。
処理手段は、各γ線検出器の夫々の取得信号を基にして、平滑化処理した後、補間処理することにより、１個のγ線検出器の検出視野よりも微細な仮想検出器メッシュに細分化することにより、細分化された信号強度分布を算出する。
それによって、放射能検出領域の空間分解能を向上させたことを特徴とする。
第５の発明によれば、検出効率が高く、短時間でホットスポットを特定することに有益な、放射能測定装置が得られる。
【００１７】
第６の発明の放射能測定装置は、第５の発明において、処理手段は、細分化された信号強度分布を基にして、装置関数でデコンボリューションすることにより、ホットスポットの位置を特定することを特徴とする。
【００１８】
第７の発明の放射能測定装置は、第１ないし第４の発明の放射能検出装置を用いて放射能分布を測定する、放射能測定装置であって、撮影手段と、表示手段と、処理手段をさらに備える。
撮影手段は、放射能検出装置の向けられた放射能検出領域を写真撮影する。表示手段は、撮影手段によって撮影された写真を表示する。
処理手段は、各γ線検出器の夫々の取得信号を基にして、平滑化処理した後、補間処理するとともに、１個のγ線検出器の検出視野よりも微細な仮想検出器メッシュに細分化して、細分化された信号強度分布を算出することによって、前記各コリメータと対応する前記各γ線検出器との組合せにより、放射能分布を測定する。さらに、処理手段は、細分化された信号強度分布を基にして、装置関数でデコンボリューションすることにより、ホットスポットの位置を特定し、撮影手段によって撮影された放射能検出領域の写真を表示手段に表示させるとともに、特定したホットスポットの位置を放射能検出領域の映像に重ね合せて表示させる。
第７の発明によれば、検出効率が高く、短時間でホットスポットを特定でき、エネルギー分別することによりガンマ線強度のエネルギー分布を可視的に表示できる。
【００１９】
第８の発明の放射能測定方法は、第１の発明ないし第４の発明の放射能検出装置を用いて放射能分布を測定する放射能測定方法であって、各コリメータと対応するγ線検出器との組合せにより、放射能分布を測定するステップを含む。
第８の発明によれば、検出効率が高く、短時間でホットスポットを特定することに有益な、放射能測定方法が得られる。
【００２０】
第９の発明の放射能測定方法は、第１の発明ないし第４の発明の放射能検出装置を用いて放射能分布を測定する放射能測定方法であって、各γ線検出器の夫々の取得信号を基にして、平滑化処理するステップと、補間処理するステップと、１個のγ線検出器の検出視野よりも微細な仮想検出器メッシュに細分化するステップとを含み、それによって、放射能検出領域の空間分解能を向上させるようにしたことを特徴とする。
【００２１】
第１０の発明の放射能測定方法は、第９の発明において、細分化された信号強度分布を基にして、装置関数でデコンボリューションするステップと、ホットスポットの位置を特定するステップとをさらに含む。
【発明の効果】
【００２２】
この発明によれば、検出効率が高く、例えば１分程度の短時間でホットスポットを特定することのできる、放射能検出装置が得られる。
また、この発明によれば、エネルギー分別することによりガンマ線強度のエネルギー分布を取得することができる。装置を軽量化でき、取扱いが容易で、アーティファクトを解消することもできる。
【００２３】
さらに、この発明によれば、検出効率が高く、短時間でホットスポットを特定することに有益な、放射能測定装置および放射能測定方法を実現できるという、特有の効果が奏される。
【図面の簡単な説明】
【００２４】
【図１】この発明の一実施例の放射能検出装置の外観図である。
【図２】この発明の一実施例の放射能検出装置におけるマルチコリメータの斜視図である。
【図３】この発明の一実施例の放射能検出装置の拡大断面図である。
【図４】この発明の一実施例の放射能検出装置の内部構造を示す斜視図である。
【図５】この発明の他の実施例の放射能検出装置の断面図である。
【図６】この発明の放射能検出装置を用いた、この発明の他の実施例の放射能測定装置の外観図である。
【図７】この発明の他の実施例の放射能測定装置のブロック図である。
【図８】この発明の放射能測定装置で放射能汚染領域を測定する場合の画面表示例を示す図である。
【図９】この発明の他の実施例の放射能測定装置の動作を説明するためのフローチャートである。
【発明を実施するための形態】
【００２５】
（実施例１）
図１はこの発明の一実施例の放射能検出装置１０の外観図であり、図２は放射能検出装置におけるマルチコリメータの斜視図である。図３は放射能検出装置の拡大断面図である。図４は放射能検出装置の内部構造を示す斜視図である。
次に、図１ないし図４を参照して、この発明の一実施例の放射能検出装置１０の構成を説明する。
【００２６】
放射能検出装置１０は、球殻状の遮蔽体を含むマルチコリメータ１１と、複数のガンマ線（以下「γ線」という）検出器を含む位置敏感検出器、すなわちポジション・センシティブ・ディテクタ（Position Sensitive Detector、以下「ＰＳＤ」と略称する）１５とから構成される。
そして、マルチコリメータ１１及びＰＳＤ１５が四角枠状の支持枠１３内で固定的に保持される。
【００２７】
マルチコリメータ１１は、中空球体の一部を切り出した球殻状の形状に選ばれた遮蔽体であって、放射線の入射方向を制限するために、球殻上に複数の筒状の透孔（又は開口）を形成することによって、縦横に複数のコリメータ１２をマトリクス状に配置して構成される。
具体的には、球殻状部分の形状は、中空球体の一部を切り出して、平面から見て略正方形の形状であって、表面側が球体の球面に沿った縦方向と横方向に二重の湾曲面に形成され、裏面側が中心を同一とする球面、すなわち同心球の球面の湾曲面からなる。
球殻状部分の厚みは、球殻の厚み方向に形成される複数の透孔（筒状の開口）が放射線の飛来方向を放射状に特定し、かつ周囲からのバックグラウンドとしての放射線を一定レベルに低減させ得る長さ（厚み）となるように、適度の厚みに選ばれる。例えば、肉厚の厚い鉛板の表面（図１の右向き面、図２の上面）が半径Ｒ１からなる球面の一部面となるように、表面を凸状の球面となるように削り加工した後、裏面（図１の左向き面、図２の下面）が半径Ｒ２の球面の一部面となるように、裏面を凹状の球面となるように削り加工する。このとき、半径Ｒ１−Ｒ２の値が球殻部分の肉厚となる。
【００２８】
さらに、球殻部には、簡便に形成するために、表面の縦横に等間隔もしくは等角度間隔に、筒状の透孔を形成することにより、複数のコリメータ１２が形成される。すなわち、筒状の透孔がコリメータ１２となる。ただし、コリメータの配置は、等間隔もしくは等角度間隔配置に限定しなくとも実施可能である。図１ないし図４に示す実施例では、球殻状の遮蔽体に縦８個と横８個の合計６４個のコリメータ１２を形成した場合を示すが、これに限るものではない。
複数のコリメータの形成に際しては、表面の球面と裏面の球面のぞれぞれの半径Ｒ１，Ｒ２の中心が一致し、複数の透孔の放射線入射方向が球体の中心点となるように、複数のコリメータの孔開け方向を選ぶと、複数のコリメータ１２がマルチコリメータ１１全体から見て放射状に形成されることになる。このように構成すれば、筒状の透孔の孔開け位置の計算や角度の決定が容易となるので、設計及び製造が容易となる利点がある。
【００２９】
なお、実施例では複数のコリメータ（透孔）１２の形成方向を放射状に形成した例を示すが、この発明の技術思想はこれに限らず、各種変形したもの、例えば球殻部分の平面上の中心から外側へ遠ざかるコリメータ程少し外側（四辺）へ向くように形成したものでもよい。
また、複数のコリメータ１２となる透孔は、円筒状に形成する場合であれば、ドリルで孔開けすれば良いので、製造が容易となるが、これを四角柱や他の形状に形成する、またはテーパーを付けるように形成したもの等、各種変形した形状でもよいことは勿論である。
また、球殻部は、縦横とも対象であることが設計および製造の容易化の点で好ましいが、これに限定されるものではなく、楕円状の球殻面でも差支えない。
【００３０】
ＰＳＤ（ポジション・センシティブ・ディテクタ）１５は、マルチコリメータ１１に含まれる複数のコリメータ１２の夫々に対応して複数のガンマ線検出器１６を配置し、各ガンマ線検出器１６の検出信号を導出するためのリード線１８を接続して構成される。これら複数のガンマ線検出器１６は、対応するコリメータ１２によって制限された特定の視野の放射線の強度とエネルギーを同時に検出するものである。
具体的には、複数のガンマ線検出器１６は、図３に示すように、マルチコリメータ１１の内側の球面の半径Ｒ２と同等かそれより小さな半径の球殻状の取付部（又は基台部）１７に、複数のコリメータ１２の夫々に対応するように孔開けし、各孔に放射線を検出可能な素子（例えばＣｓＩの結晶、すなわちタリウム活性化ヨウ化セシウム単結晶シンチレータ）を埋設し、各素子に検出信号を導出するリード線１８を接続して構成される。取付部１７は樹脂等で一体成型すればよい。
【００３１】
なお、ＰＳＤ１５の取付部１７の構造は、１つの部材ではなく、図４に示すように、各ガンマ線検出器１６を個別に収納可能な小さな筒状部材１７ａとし、各筒状部材１７ａをマルチコリメータ１１の裏面側で隣接するものどうしを接着材で接着して構成してもよい。
なお、上述の構造説明では、複数のガンマ線検出器に共通の符号（１６）を付して示すが、各ガンマ線検出器を配置位置との関係で区別して説明する必要のある図６では、Ｄ１〜Ｄ６４で示すものとする。
【００３２】
図５は放射能検出装置の他の実施例を示す断面図である。
図１〜図３に示す放射能検出装置１０では、マルチコリメータ１１の裏面側に配置されるＰＳＤ１５がマルチコリメータ１１の裏面側に沿う球殻状の取付部１７の場合、すなわちガンマ線検出器１６を球面状に配置する場合を説明したが、これに限らず、図５（ａ）又は図５（ｂ）に示すように平面状にガンマ線検出器１６を配置してもよい。
図５（ａ）の実施例の放射能検出装置１０Ａは、マルチコリメータ１１が図１〜図３のものと同様に構成され、当該マルチコリメータ１１の裏面側に配置されるＰＳＤ１５の取付部１７を次のように構成したものである。すなわち、放射能検出装置１０Ａは、マルチコリメータ１１の平面形状に近似する板厚の厚い平板を準備し、この平板状の取付部１７ｂに複数のコリメータ１２に対応して飛来する放射線を受ける角度となるように位置決めした複数の孔（又は穴）を形成しておき、これらの複数の孔に複数のガンマ線検出器１６を埋め込んで固定する。
そして、放射能検出装置１０Ａは、複数のガンマ線検出器１６のガンマ線受光面とは反対側の面から検出信号を取り出すリード線１８を引き出している。
また、角度による各ガンマ線検出器１６の検出感度の補正計算をおこなうのであれば、図５（ｂ）に示すように、２次元に等間隔かつ垂直にガンマ線検出器を配列した、複数のガンマ線検出器１６からなる一般的な形状のＰＳＤを用いてもかまわない。この場合の放射能検出装置１０Ｂでは、平板状の取付部１７ｃが平板に対して直交する方向（図示の上下方向）に複数のガンマ線検出器１６を等間隔で配列した状態で保持又は固定する。
【００３３】
（実施例２）
図６は、この発明の放射能検出装置１０を用いた、この発明の他の実施例の放射能測定装置２０の外観図である。特に、図６（ａ）は放射能測定装置２０を正面から見た斜視図、図６（ｂ）は背面から見た斜視図を示す。
放射能測定装置２０は、６面のうちの１面だけを開口部とした箱状の筐体２１に、マルチコリメータ１１が開口部から外（図６（ａ）の正面）を向くように放射能検出装置１０を収納し、開口部に蓋部材２２を装着して構成される。また、筐体２１の上面には、持ち運び用の把持部（取っ手）２３が装着される。
蓋部材２２には、放射線を測定する周囲環境（又は景色）を写真撮影するときに周囲環境の画像を筐体２１内部に取り込むための透視孔２４が形成される。
また、筐体２１の内部には、ＰＳＤ１５によって検出された放射線の飛来する方向別のエネルギーと強度を測定処理するための回路基板（図示せず）が放射能検出装置１０の裏側に収納されるとともに、蓋部材２２の透視孔２４の近傍に撮像カメラ（例えば、ＣＣＤセンサとレンズ）が内蔵される。ここで、検出対象の放射線は、素材が鉛の遮蔽体を通さないが、ＣＣＤセンサのような鉛以外の物質を通す性質を有するので、マルチコリメータ１１の前面にＣＣＤセンサを配置したり、アルミニュームや鉄板等からなる蓋部材２２で開口部の蓋をしても、飛来する放射線のエネルギー及び強度を検出する上で何ら支障がない。
【００３４】
さらに、放射能測定装置２０は、筐体２１の背面（開口部に対向する面）に、測定結果を表示するための液晶表示器２５を装着している。液晶表示器２５は、後述の図９に示すフローチャートの処理結果の画像（図８参照）を表示するものである。
必要に応じて、放射能測定装置２０は、筐体２１内にＧＰＳ情報検出部（図７の３１）および距離計３５を収納して構成される。
【００３５】
図７は放射能測定装置２０のブロック図である。
放射能測定装置２０は、複数のγ線検出器１６（Ｄ１〜Ｄ６４）と、Ａ／Ｄ変換回路ＡＤ１〜ＡＤ６４と、ＧＰＳ情報検出部３１と、撮像カメラ（ＣＣＤセンサ）３２と、計測処理のための中央処理ユニット（ＣＰＵ；又はコンピュータ）３３と、記憶装置３４と、距離計３５と、送受信回路３６を含む。
【００３６】
Ａ／Ｄ変換回路ＡＤ１〜ＡＤ６４は、対応するγ線検出器Ｄ１〜Ｄ６４の検出出力（アナログ信号）をディジタル信号に変換する。ＧＰＳ情報検出部３１は、放射能測定装置２０を用いて放射能汚染している懸念のある地域の放射能を測定する際に、当該地域の高精度の位置情報を取得するために、衛星からのＧＰＳ情報を検出する。
ＣＰＵ３３は、例えば図９のフローチャートに示す処理プログラム又はその他のプログラムを実行して、放射能汚染の状況を測定する。ＣＰＵ３３は、機能的には位置・エネルギー及び強度を測定し表示処理する位置・エネルギー・強度測定回路３３ａと、撮像カメラ３２によって撮影された放射能汚染地域の環境に関連する写真を画像処理する画像処理回路３３ｂとしての機能を有する。
【００３７】
記憶装置３４は、半導体メモリ（ＲＡＭ）及び／又はハードディスクから構成され、メモリ空間としては処理プログラムを記憶するプログラム記憶用メモリ３４ａ，測定処理用のデータを記憶する処理用メモリ（又はワーキングＲＡＭ）３４ｂおよび表示用メモリ３４ｃを含む。
処理用メモリ３４ｂは、測定地点毎（別）でありかつ各γ線検出器Ｄ１〜Ｄ６４に対応して、所定範囲の複数種類のエネルギー（例えばエネルギー１〜９３０）別の強度を記憶する領域を含み、測定地点毎の名称（住所又は地域）とＧＰＳ情報に基づく位置情報（例えば、緯度情報と経度情報）を記憶する記憶領域を含む。
表示用メモリ３４ｃは、液晶表示器２５に表示すべき画像データをビットマップ形式で記憶するメモリである。放射能測定装置２０が、例えば、後述の図８に示すような測定結果を表示するものとすれば、その表示を実現するための各種表示データを記憶する。
【００３８】
送受信回路３６は、遠隔場所又は遠隔地のパーソナルコンピュータ（ＰＣ；以下「パソコン」という）４０にケーブル（又は無線回線）を介して測定データを送信し又はパソコン４０からの制御データを受信するものである。
さらに、放射能測定装置２０は、必要に応じて、ＵＳＢ端子３７が設けられる。ＵＳＢ端子３７には、各種データ入力のためのキーボード３８が外付け接続される。
【００３９】
図８は、放射能測定装置２０を用いて放射能汚染領域を測定する場合の画面表示例を示す図である。
放射能測定装置２０の測定結果は、液晶表示器２５に表示される。例えば、液晶表示器２５に表示される画面は、図８に示すように、複数の表示領域２５ａ〜２５ｄに分割される。
【００４０】
表示領域２５ａは、画面左上から大きな領域（例えば縦・横３／４程度の領域）を有する主表示領域であって、複数の測定地点毎の放射能の濃度分布を表示する。この表示領域２５ａは、縦横の桝目の描かれた測定地点別の濃度分布表示領域を含むとともに、その上部に測定地点の名称（住所又は地域名）と、測定日時と、位置情報（緯度，経度）を表示する欄を含む。
表示領域２５ａの濃度分布表示領域には、撮像カメラ３２によって撮影された放射能検出装置１０の周辺の測定地域の景色等の画像が最下層に表示され、景色画像の上に測定地点別の桝目が重ねて表示され、さらにその上に測定地点別の濃度分布の図柄（図示では右上角の桝目に示すような濃度を色調で諧調化した図柄または模様）が重ねて表示される。
また、濃度分布表示領域の１つの桝目が、放射能検出装置１０による１回の検出範囲（すなわち、放射能測定装置２０によって測定される１地点）に相当する。そして、濃度分布表示領域の縦横の桝目の数だけ放射能測定装置２０の位置を縦又は横にずらせながら各桝目に対応する地点を測定することにより、その測定結果が１枚のマップ上に濃度分布として表示されることになる。
さらに、濃度分布表示領域の右横には、濃度別の色見本表示部が縦長の帯状に表示される。
【００４１】
表示領域２５ａの右横の縦長の表示領域２５ｂは、放射能測定に際して操作される操作アイコンを表示する領域であり、例えば「測定開始」，「ＣＣＤ（撮影）開始」，「自動・手動切換」，「終了」等のアイコンを表示する。その場合、液晶表示器２５の表面にタッチパネル（図示せず）が装着され、使用者がタッチ操作した座標位置を検出することにより、操作されたアイコン（スイッチ）が特定される。
【００４２】
表示領域２５ａの下方の横長の表示領域２５ｃは、現在測定中の１つ桝目に相当する１地点におけるエネルギーと強度を表示する領域である。すなわち、表示領域２５ｃは、横軸にエネルギー、縦軸に強度を表示するものであり、横軸のエネルギー値が汚染源として測定すべき放射線の種類であるセシウム１３４およびセシウム１３７のスペクトル別に、縦軸で強度を知らせるための領域である。
表示領域２５ｂと表示領域２５ｃの間の小さな表示領域２５ｄは、プロファイル選択領域であり、「累計」か「個別」を選択するとともに、「較正」，「保存」等のアイコンを表示する。
【００４３】
図９は放射能測定装置２０の動作を説明するためのフローチャートである。
次に、図１〜図９を参照して、図９に示すフローチャートに沿って放射能測定装置２０の動作を説明する。
【００４４】
放射能測定装置２０による放射能汚染地域の測定に先立って、放射能測定装置２０を三脚（又はクレーン等）に固定した状態で、マルチコリメータ１１を測定対象地点に向けた後、アイコン「ＣＣＤ開始」と「測定開始」を操作する。なお、三脚等による固定及び距離の設定に代えて、放射能測定装置２０を無人飛行機（例えばドローン等）に搭載し、無人飛行機の位置（緯度と経度）を変化するように操作することによって、表示領域２５ａの桝目に対応する位置を選択するようにしてもよい。
【００４５】
このとき、放射能測定装置２０から測定対象地点までの距離Ｌは、１メートルオーダーの範囲（例えば１ｍから１０ｍの範囲）の任意の距離に選ばれ、その距離が距離計３８によって測定されてＣＰＵ３３へ出力される。
ここで、距離Ｌと測定範囲との関係は、マルチコリメータ１１（放射能測定装置２０の蓋部材２２の面）を真下に向けて視野角度を６０度とすれば、２Ｌ／√３となる。例えば、距離Ｌ＝３ｍの場合は、１地点における１回の測定によって、２×３／√３ｍ＝３．４ｍの範囲を測定できる。この１地点測定範囲が表示領域２５ａの１つの枡目分となる。
なお、放射能測定装置２０を用いた放射能測定において、マルチコリメータ１１を真下に向ける使用方法に代えて、斜め下向きとし、斜め下向きの角度情報に基づいて補正をかけて、１つ桝目の測定範囲（長さ）を決めてもよい。
【００４６】
アイコン「ＣＣＤ開始」及び「測定開始」の操作に応じて、ＣＰＵ３３は放射能分布可視化の処理をスタートする。
すなわち、複数のガンマ線検出器Ｄ１〜Ｄ６４は、測定対象範囲の各位置から飛来する放射線を検出する。ガンマ線検出器Ｄ１〜Ｄ６４のそれぞれの検出値（アナログ値）は、対応するＡ／Ｄ変換回路ＡＤ１〜ＡＤ６４によってアナログ−ディジタル変換されて、ＣＰＵ３３へ入力される。
そして、ステップ１において、ＣＰＵ３３は、検出位置（すなわちガンマ線検出器Ｄ１〜Ｄ６４）毎のエネルギーと強度データを取得して、メモリ３４ｂの対応する記憶領域へ書き込む。この検出位置（ガンマ線検出器Ｄ１〜Ｄ６４）毎のエネルギーと強度データは、或る１つの桝目（例えば、始めは濃度分布表示領域の１段目右端）に対応するメモリ３４ｂの記憶領域の各ガンマ線検出器別に書き込まれ、刻々検出されるデータを累計しながら、結果として各ガンマ線検出器別の積算値が記憶されることになる。
【００４７】
一方、撮像カメラ３２に含まれるＣＣＤセンサは、測定地点周辺の風景を撮影して、写真画像をＣＰＵ３３へ出力する。ステップ２において、ＣＰＵ３３は写真画像をメモリ３４ｂの写真画像記憶領域（図示せず）に記憶させる。そして、ＣＰＵ３３は当該写真画像を表示領域２５ａの濃度分布表示領域（８×８の桝目）に対応する表示用メモリ３４ｃの領域に記憶させる。その上に、濃度分布表示領域の桝目の罫線を上書きすることにより、写真画像が濃度分布表示情報の下層となるように記憶保持する。
【００４８】
ステップ１に続くステップ３において、ガンマ線検出器Ｄ１〜Ｄ６４のエネルギー及び強度データに基づいて、ガンマ線検出器Ｄ１〜Ｄ６４毎のスペクトル化が行われる。すなわち、ガンマ線検出器Ｄ１〜Ｄ６４を１個の放射線検出器と見立てたときの放射能強度のエネルギー分布図が作成される。
このエネルギー分布図の作成では、データ的には６４個のガンマ線検出器Ｄ１〜Ｄ６４のエネルギー・強度分布（スペクトル）を有しているが、代表的な１個分のみのエネルギー・強度分布（スペクトル）を、図８の表示領域２５ｃに表示することになる。但し、スペクトル表示するガンマ線検出器を選択できるようにプログラムしてもよい。
【００４９】
ステップ４において、ガンマ線検出器Ｄ１〜Ｄ６４毎の対象核種からの放射能強度の算出処理（演算）が行われる。
ここで、放射能強度は、測定核種のエネルギー領域のガンマ線強度のことであり、ガンマ線検出器Ｄ１〜Ｄ６４によって検出される地点に対応するピクセルの階調として表示される。
【００５０】
ステップ５において、ステップ４で行われた対象核種からの放射能強度を空間分布としてとらえるための処理が行われる。ガンマ線検出器Ｄ１〜Ｄ６４毎の対象放射能強度の分布図の作成処理が行われる。具体的には、ガンマ線検出器Ｄ１〜Ｄ６４の検出値を、各検出器の配置位置に対応する８×８個のマトリクス状の放射能強度の分布図に置き換える処理を行う。
【００５１】
ステップ６において、ガンマ線検出器Ｄ１〜Ｄ６４の位置分解能の細分化処理を行うことが選択されているか否かが判断される。位置分解能の細分化処理が選択されている場合は次のステップ７へ進み、細分化処理が選択されていない場合は後述のステップ１０へ進む。細分化処理は、検出器１個相当の空間分解能、例えば５ｍの距離の対象で７０ｃｍでも十分か、より詳しいホットスポット位置を、例えば１０〜２０ｃｍの空間分解能で知りたいかによって、処理を行わないか行うかを判断する。
【００５２】
ステップ７において、ガンマ線検出器Ｄ１〜Ｄ６４のうちの近傍の検出器の検出値に基づいて、三次元関数による平滑化及び補間処理によるメッシュの細分化処理が行われる。
ここでの三次元関数は、検出における測定誤差や統計的変動によるバラツキの影響を除く目的で、２次元の３次曲面を用いて、検出値の強度分布を近似するための関数のことを指す。また、平滑化とは、複数のガンマ線検出器Ｄ１〜Ｄ６４のうちのバラツキが大きい検出器による強度の検出値を誤差として無視することにより、２次元の３次曲面を用いて、検出値の強度分布が滑らかな変化をする曲面になるように処理することである。補間処理とは、各ガンマ線検出器の検出値がその検出器の中心位置での検出値を表すとして、ある検出器の中心とその検出器の近傍の別の３つの検出器の中心が作るメッシュの内部の任意の点に対して、その位置に対応した検出値の強度を得る処理である。したがって、ＰＳＤ１５（６４個のガンマ線検出器Ｄ１〜Ｄ６４）が作るメッシュ、すなわち何も処理しない場合の位置分解能よりも、さらに小さな細分化したメッシュであって、より良い位置分解能を与えうるために、細分化処理を行う。
メッシュの細分化処理は、平滑化及び補間処理によって、複数（６４個）のガンマ線検出器Ｄ１〜Ｄ６４によって検出できる最小単位の範囲（広さ）をさらにメッシュ状に細分化して、ガンマ線検出器の個数を何倍かに増やしたのと同等の検出精度を高める処理である。
【００５３】
ステップ８において、近接ホットスポットの分離処理および／またはスポット位置の局在化処理をすべきか否かが判断される。ホットスポットの分離処理および／またはスポット位置の局在化処理が必要な場合は次のステップ９へ進み、不要な場合は後述のステップ１０へ進む。
【００５４】
ステップ９において、装置関数に基づくデコンボリューション（Deconvolution；逆畳み込み）処理が行われる。
このデコンボリューション処理としては、一般的な機器分析・計測手法等で用いられる一般的なスキームで実施すればよい。
具体的には、各検出素子で作るメッシュ、もしくはそれを細分化した細分化メッシュのあるメッシュ位置を（ｉ,ｊ）（但し、ｉ,ｊは整数）で表すと、あるメッシュ（ｋ,ｌ；「ｌ」は小文字エルを表す）で測定もしくは算出された放射能強度Ｉ（ｋ,ｌ）は、本来の放射能強度分布Ｆ（ｉ,ｊ）とその分布を鈍らせる原因となる装置関数をＧ（ｉ,ｊ）とすれば、第（１）式の積算和の畳み込みの形で表せる。
0006747659.tif 000002
この場合、装置関数Ｇ（ｋ−ｉ,ｌ−ｊ）は、ｉ,ｋ方向のメッシュ間隔をΔｘ、ｊ，ｌ方向のメッシュ間隔をΔｙとすると、この放射能測定装置２０では両方向とも等方的なために、装置関数の寄与はある測定メッシュと、本来の放射能強度のある、例えばピークに相当するメッシュ位置との距離と、測定メッシュにおける感度係数関数Ａ（ｘ,ｙ）の２つに依存して、第（２）式で表せる。
0006747659.tif 000003
【００５５】
理想的な球殻上のマルチコリメータ１１と球殻上のガンマ線検出器Ｄ１〜Ｄ６４の系では、等角度間隔のためにΔｘ＝Δｙとなり、ａ＝（Δｘ）２と置くことができる。
さらに、この場合には装置関数が距離にのみ依存するので、例えば一般的なガウス分布の形で１次近似できる。
同時にそのガウス分布の寄与に比べて、感度係数の位置依存性は無視しても良い大きさであると仮定できる。
従って、この３つの条件により、第（２）式はより単純な数式の第（３）式となる。
0006747659.tif 000004
すなわち、メッシュ位置ｋ,ｌ,ｉ,ｊと定数Ａ,ａだけのガウス分布で近似できる。
この第（３）式を第（１）式に代入すれば、ｉ方向すなわちｘ方向が全ｎメッシュ、ｊ方向すなわちｙ方向が全ｍメッシュあるとすると、ｉ＝１〜ｎ, ｊ＝１〜ｍに対して第（４）式となる。
0006747659.tif 000005
これは、Ｆ（ｉ,ｊ）に対してのｎ×ｍ元の連立1次方程式に他ならない。
従って、各Ｆ（ｉ,ｊ）の係数Ａｅｘｐ｛−ａ［（ｋ−ｉ）２＋（ｊ−ｌ）２ ］｝を要素とする行列Ｂの逆行列Ｂ−１を測定もしくは算出強度が作るベクトルＩ（ｋ,ｌ）に作用させれば、本来の強度分布Ｆ（ｉ,ｊ）を容易に導くことができる。
なお、装置関数の寄与がガウス分布近似から外れるような場合にも、関数Ａにその寄与を入れ込み、各メッシュ位置での係数Ａを変えることによって、同様のデコンボリューション処理が可能となる。
【００５６】
ステップ１０において、放射能強度分布像と可視画像との統合（又は合成）および放射能強度の算出処理が行われる。この放射能強度分布像と可視画像を合成した画像が表示領域２５ａに表示される。
なお、ステップ４ではガンマ線検出器の１個の位置分解能に対応した位置分解能でしか位置を特定していないので、可視画像と結びついていないが、ステップ１０ではホットスポットの位置の角度を計算して、見ている位置を決めることにより、ホットスポットの位置を特定している。
【００５７】
上述の一連の処理によって、或る１地点（すなわち表示領域２５ａの或る１つの桝目に対応する１地点）での放射能分布の可視化処理が終了する。
その後、放射能測定装置２０の配置位置を横及び／又は縦に１枡分ずつずらせて、上述の測定処理を縦横所定数の桝目分（例えば８×８回）の測定処理を行うことにより、濃度分布表示領域の範囲の全域（１の名称で特定される地域）の測定処理を行う。
以上の処理を繰り返すことにより、広範囲における放射能汚染状況の測定結果がメモリ３４ｂに累積的に記憶される。そして、適宜のタイミングにおいて、メモリ３４ｂに累積的に記憶されている広範囲における放射能汚染状況の測定結果のデータが送受信回路３６によってパソコン４０へ送信され、パソコン４０側でも累積的に記憶される。パソコン４０側では、これらの測定データに基づいて、除染作業すべき地点又は範囲の選定（割り出し）が行われる。
【００５８】
この実施例の放射能測定装置によれば、球殻状のマルチコリメータを含む放射能検出装置を用いて放射線源から飛来する放射線をコリメータで広角的に検出しているので、検出効率が高く、１分程度の短時間でホットスポットを特定できるという、特有の効果が奏される。
また、エネルギー分別することによりガンマ線強度のエネルギー分布を取得しているので、放射能汚染された地点又は地域を迅速に作業効率よく特定でき、除染作業の効率を大幅に高めることができる。
【産業上の利用可能性】
【００５９】
この発明は、放射能汚染された地域の除染作業に際して、エネルギー分別することによりガンマ線強度のエネルギー分布を取得できるので、放射能検出装置、当該放射能検出装置を用いた放射能測定装置又は測定方法としての産業上の利用性が高い。
【符号の説明】
【００６０】
１０      放射能検出装置
１１      球殻状のマルチコリメータ
１２      コリメータ
１５      ＰＳＤ（ポジション・センシティブ・ディテクタ）
１６（Ｄ１〜Ｄ６４），１６ａ  ガンマ線検出器
１７，１７ｂ，１７ｃ    取付部
２０      放射能測定装置
２１      筐体
２２      蓋部材
２５      液晶表示器
２５ａ〜２５ｄ    表示領域
３１      ＧＰＳ情報検出部
３２      撮像カメラ
３３      中央処理ユニット（ＣＰＵ）
３４      記憶装置
３４ａ    プログラム記憶用メモリ
３４ｂ    処理用メモリ
３４ｃ    表示用メモリ
３５      距離計
３６      送受信回路
３７      ＵＳＢ端子
３８      キーボード
４０      パソコン（ＰＣ）
【図１】
0006747659.tif 000006
【図２】
0006747659.tif 000007
【図３】
0006747659.tif 000008
【図４】
0006747659.tif 000009
【図５】
0006747659.tif 000010
【図６】
0006747659.tif 000011
【図７】
0006747659.tif 000012
【図８】
0006747659.tif 000013
【図９】
0006747659.tif 000014